(57)【要約】【課題】簡素な構成で安定的に収納可能な電気掃除機を提供する。【解決手段】電気掃除機１は、掃除機本体２と、掃除機本体２に接続される延長管と、延長管に接続される吸込口体７と、を備える。電気掃除機１は、延長管の長手方向にある軸線Ａを挟んで掃除機本体２の左右両側に配置され、電気掃除機１を収納する際、交差する被設置部22の両面に当接する当接部15を備える。【選択図】図１
2020092828.tif 000002
【特許請求の範囲】
【請求項１】
本体と、前記本体に接続される延長管と、前記延長管に接続される吸込口体と、を備える電気掃除機であって、
前記延長管の長手方向にある軸線を挟んで前記本体の左右両側に配置され、該電気掃除機を収納する際、交差する被設置部の両面に当接する当接部を備える
ことを特徴とする電気掃除機。
【請求項２】
重量物を備え、
前記当接部は、前記重量物に対して両側に位置している
ことを特徴とする請求項１記載の電気掃除機。
【請求項３】
前記当接部は、進退自在、又は、着脱可能に設けられている
ことを特徴とする請求項１又は２記載の電気掃除機。
【請求項４】
前記当接部は、滑止体を備える
ことを特徴とする請求項１ないし３いずれか一記載の電気掃除機。
【請求項５】
前記当接部の当接面は、平面状に形成されている
ことを特徴とする請求項１ないし４いずれか一記載の電気掃除機。
【請求項６】
前記当接部は、先端が仮想平面上に位置するように形成されている
ことを特徴とする請求項１ないし５いずれか一記載の電気掃除機。
【請求項７】
一側の前記当接部の当接面と他側の前記当接部の当接面とは、鋭角から鈍角に亘る所定の角度範囲の所定角度をなして交差している
ことを特徴とする請求項１ないし６いずれか一記載の電気掃除機。
【発明の詳細な説明】
【技術分野】
【０００１】
本発明の実施形態は、本体と、本体に接続される延長管と、延長管に接続される吸込口体と、を備える電気掃除機に関する。
【背景技術】
【０００２】
スティック型の電気掃除機は、使用者により把持される把持部を備える手元側の掃除機本体に、電動送風機、電池、集塵部等の主要部品が配置されており、重心が高く自立させることが困難である。そのため、従来のスティック型の電気掃除機の場合、安定的に収納等するために、充電台等の収納台や、壁に引っ掛けて電気掃除機を保持するための別部品が必要になっていた。
【先行技術文献】
【特許文献】
【０００３】
【特許文献１】登録実用新案第３２１０４５５号公報
【特許文献２】特開２０１８−１５３２５号公報
【発明の概要】
【発明が解決しようとする課題】
【０００４】
本発明が解決しようとする課題は、簡素な構成で安定的に収納可能な電気掃除機を提供することである。
【課題を解決するための手段】
【０００５】
実施形態の電気掃除機は、本体と、本体に接続される延長管と、延長管に接続される吸込口体と、を備える。電気掃除機は、延長管の長手方向にある軸線を挟んで本体の左右両側に配置され、電気掃除機を収納する際、交差する被設置部の両面に当接する当接部を備える。
【図面の簡単な説明】
【０００６】
【図１】第１の実施形態の電気掃除機の収納状態を上方から示す平面図である。
【図２】(a)は同上電気掃除機を前側から示す斜視図、(b)は同上電気掃除機を後側から示す斜視図である。
【図３】同上電気掃除機の収納状態を前側から示す斜視図である。
【図４】同上電気掃除機の掃除時の使用状態を示す斜視図である。
【図５】(a)は第２の実施形態の電気掃除機の当接部の進出状態を上方から示す平面図、(b)は同上電気掃除機の当接部の退避状態を上方から示す平面図である。
【図６】(a)は第３の実施形態の電気掃除機の当接部の一例を示す斜視図、(b)は同上電気掃除機の当接部の他の例を示す斜視図である。
【図７】同上の電気掃除機を上方から示す斜視図である。
【図８】第４の実施形態の電気掃除機の当接部を示す斜視図である。
【発明を実施するための形態】
【０００７】
(第１の実施形態)
以下、第１の実施形態について図面を参照して説明する。
【０００８】
図３及び図４において、１は電気掃除機である。電気掃除機１は、使用者が把持して動作させ、床面上の塵埃を掃除する。本実施形態では、電気掃除機１として、スティック型の電気掃除機を例に挙げて説明する。以下、説明をより明確にするために、電気掃除機１の前後及び上下の各方向については、図３に示す立て掛け状態のスティック型の電気掃除機１に向き合う使用者を基準にして用いる。図４に示すように、使用者が電気掃除機１を把持する時、電気掃除機１の使用者に近い端部側を電気掃除機１の一端側とし、使用者から遠い端部側を電気掃除機１の他端側とする。本実施形態のスティック型の電気掃除機１の一端側は掃除機本体２側であり、他端側は吸込口体７側とする。また、掃除機本体２側は上方であり、吸込口体７側は下方となる。スティック型の電気掃除機１は、使用者に近い側である一端部から遠い側である他端部に亘り、以下、第一方向となる両端方向を長手方向とする。また、長手方向に対して交差する両側方向又は幅方向を第二方向となる左右方向とする。さらに、第一方向及び第二方向に対して交差する方向を第三方向である前後方向とする。電気掃除機１は、前後方向において、使用状態で使用者側から見える側を前側とし、使用者側は後側とする。図１等において、前方向を矢印Ｆで示し、後方向を矢印Ｒで示す。
【０００９】
図４に示すように、電気掃除機１は、掃除機本体２を備えている。掃除機本体２は、本体接続口３と、排気口４と、を備えている。本体接続口３には、風路体５が着脱可能に接続される。風路体５は、吸込風路を形成するものである。風路体５は、本実施形態において、長尺の延長管６、及び、吸込口体７を備えている。延長管６の一端部が本体接続口３に接続され、延長管６の他端部に吸込口体７が接続される。延長管６は、電気掃除機１の長手方向に沿って軸線方向を有している。また、延長管６の軸線Ａは、電気掃除機１の左右方向の中心を通り前後方向に延びる仮想中心平面上にある。
【００１０】
図４に示すように、電気掃除機１は、電動送風機８を備えている。電動送風機８は、掃除機本体２に配置される。電動送風機８は、制御部により制御される。電動送風機８は、合成樹脂や金属等からなるフレームや、磁石やコイル等を備えた電動機等を備える。従って、電動送風機８は、重量物である。また、電動送風機８は、電源部９からの給電により動作する。電源部９は、二次電池、或いはコードリール装置が用いられる。電源部９は、重量物である。電源部９は、掃除機本体２に配置される。電源部９は、掃除機本体２の後部に位置している。本実施形態において、電源部９を備える掃除機本体２の後端部は、後方に突出している。
【００１１】
電動送風機８の吸込側は、集塵部10を介して本体接続口３と連通され、電動送風機８の排気側は、排気口４と連通される。集塵部10は、風路体５を介して本体接続口３から吸い込まれた含塵空気から塵埃を分離して集積する。本実施形態の集塵部10は、サイクロン分離式の集塵装置である。本実施形態の集塵部10は、掃除機本体２の前側に配置されているが、これに限られず、延長管６の軸線Ａ上に集塵部10が配置されていてもよい。集塵部10は、掃除機本体２に対し着脱可能となっている。集塵部10は、合成樹脂等により形成された重量物である。なお、集塵部10としては、掃除機本体２に内蔵される集塵室等に着脱される集塵袋やフィルタ等を用いてもよい。
【００１２】
また、電気掃除機１は、把持部12を備えている。把持部12は、掃除操作時に使用者により把持される。把持部12は、掃除機本体２に一体的に設けられている。把持部12は、使用者により把持されることで、掃除機本体２を使用者が把持可能とするものである。把持部12は、掃除機本体２において、本体接続口３とは反対側の端部である一端部に位置している。把持部12は、電気掃除機１の一端側に配置されている。本実施形態の把持部12は、電気掃除機１の長手方向に沿って形成されている。把持部12の一端部は、掃除機本体２において、電源部９を備える部分に接続されている。把持部12の他端部は、掃除機本体２において、集塵部10に対向する部分に接続されている。また、把持部12は、掃除機本体２において、延長管６の軸線Ａと重なり軸線Ａを基準として左右両側方向の中央部に配置されている。本実施形態の電気掃除機１の場合、使用者の手元となる把持部12の近傍に、電動送風機８、電源部９、集塵部10等の重量物が配置されている。電気掃除機１の重量は、一端側に偏っている。また、電気掃除機１は、左右対称又は略左右対称に形成されているため、電気掃除機１の重量は、左右に均等又は略均等となっている。電気掃除機１の重心は、左右方向の中央部又は略中央部に位置している。
【００１３】
また、把持部12には、好ましくは、電気掃除機１の起動及び停止や運転モードを制御部に設定する設定手段13が配置されている。設定手段13は、掃除機本体２の把持部12とは異なる位置に配置されていてもよい。
【００１４】
さらに、図３において、電気掃除機１は、当接部15を備えている。当接部15の当接面19は、電気掃除機１を収納する際に、壁面及び家具の側面等の支持部分に当接して電気掃除機１を支持するものである。当接部15は、電気掃除機１において、延長管６の軸線Ａを挟む掃除機本体２の左右両側に設けられている。当接部15は、好ましくは掃除機本体２において電源部９を備える部分の両側に設けられている。当接部15は、掃除機本体２のケース体の外郭の一部として形成されていてもよいが、好ましくは掃除機本体２に突設されている。また、当接部15は、電気掃除機１の掃除機本体２の後側に面して位置している。当接部15は、電気掃除機１により被掃除部を掃除する状態で、重力方向に見て、この被掃除部に対向する位置にある。当接部15は、電動送風機８、電源部９、集塵部10等の重量物に対し両側に位置している。なお、本実施形態において、「収納」とは、電気掃除機１を邪魔にならない位置に置くことを含み、必ずしも中に入れて仕舞うことを意味するものではない。
【００１５】
本実施形態において、当接部15の当接面19は、平面状に形成されている。当接部15は、四角形平面状となっている。両側の当接部15の当接面19は、電気掃除機１の長手方向に見て、互いに交差する方向に沿う平面状に形成されている。左側の当接部15の当接面19がなす平面と、右側の当接部15の当接面19がなす平面との角度は、電気掃除機１の長手方向に見て、鋭角から鈍角に亘る所定の角度範囲内の所定角度に設定されている。これら両側の当接部15の当接面19がなす平面同士の角度は、好ましくは、９０°又は略９０°に設定されている。当接部15は、掃除機本体２の外郭に９０°又は略９０°の形状を構成している。また、図２(b)に示すように、本実施形態の当接部15の当接面19は、電気掃除機１の後面となる掃除機本体２の後面18に対し、両側方向外側に向かい後側から前側へと傾斜して形成されている。後面18は、面状のものに限られず、凹凸形状を有するものも含むものとする。
【００１６】
当接部15には、面部20が把持部12側に連なって設けられていてもよい。面部20は、当接部15の当接面19に対して前側に位置している。面部20には、機能部が設けられていてもよい。機能部が設けられる面部20は、平面状に形成されていることが好ましい。機能部は、任意のものとすることが可能であるが、電源部９が二次電池である場合、図２(a)や図３に示すように、充電用のジャック等の接続手段21aや、ＬＥＤランプ等の表示手段21bが用いられる。接続手段21aは、電源部９と電気的に接続される。また、表示手段21bは、電源部９の充電状態や残量等を表示する。本実施形態では、いずれか一方の面部20に接続手段21aが配置され、他方の面部20に表示手段21bが配置されているが、これに限られず、いずれか一方の面部20にのみ機能部が配置されていてもよいし、一つの面部20に複数の機能部が配置されていてもよい。当接部15は、ブロック状に形成されていてもよいし、当接面19及び面部20を備える中空状に形成されていてもよい。
【００１７】
次に、第１の実施形態の作用を説明する。
【００１８】
掃除の際には、例えば床面等の被掃除部を掃除する場合、使用者は把持部12を把持する。次いで、使用者は、図４に示すように本体接続口３を下方に向けて電気掃除機１を使用姿勢とする。この使用姿勢で、風路体５の他端側が被掃除部に向けられる。次いで、使用者は、設定手段13の操作により電気掃除機１を起動させる。電気掃除機１は、使用者による把持部12の操作により被掃除部に沿って移動する吸込口体７等から、電動送風機８の駆動により生じた負圧を利用して塵埃を空気とともに吸い込む。含塵空気は、風路体５の吸込風路から本体接続口３を介して集塵部10へと吸い込まれる。集塵部10では、含塵空気から塵埃を分離して捕集する。集塵部10で塵埃が分離された空気は、集塵部10から排出され、電動送風機８に吸い込まれる。電動送風機８に吸い込まれた空気は、電動送風機８を冷却した後、排気口４から掃除機本体２の外部に排気される。
【００１９】
電気掃除機１を使用しないときには、電気掃除機１を部屋又は家具の隅等に収納しておくことができる。使用者は、図１及び図３に示すように、電気掃除機１の長手方向を鉛直上下方向に沿わせ、吸込口体７を床面に載置するとともに、両側の当接部15の当接面19を、部屋の隅を構成する二つの壁部等の互いに交差する被設置部22に対向させて当接させる。電気掃除機１は、吸込口体７と、両側の当接部15とによって、床面と両側の被設置部22とに対し三箇所で支持され、被設置部22に凭せ掛けることなく自立させることができる。
【００２０】
例えば、当接部15を備えない電気掃除機１を被設置部22に単に凭せ掛ける場合には、掃除機本体２側が被設置部22のいずれか一方に沿って左側や右側に滑って倒れたり、掃除機本体２側の重量によって吸込口体７が床面上で前方に押し出され、掃除機本体２側が被設置部22間で下方に滑って倒れたりすることがある。このような作用は、吸込口体７が延長管６に対し回動可能に接続されている場合に特に顕著に現れ得る。これに対し、第１の実施形態では、部屋又は家具の隅等の互いに交差する壁面を利用し、延長管６の軸線Ａを挟んで両側に位置する当接部15の当接面19を隅の交差する壁面に当接させることで、掃除機本体２側の左右や下方への滑りを抑制し、収納台や壁等に引っ掛けるための別部材等を用いることなく、電気掃除機１を簡素な構成で安定的に収納可能となる。このため、電気掃除機１は、収納台等のように決まった場所に収納する必要がなく、互いに交差する隅を両側に有する任意の場所に収納できる。
【００２１】
また、当接部15が重量物に対して両側に位置しているため、電気掃除機１の掃除機本体２の重量を両側の当接部15によって効果的に支持でき、収納状態の電気掃除機１を安定させることができる。
【００２２】
さらに、当接部15の当接面19が平面状に形成されているため、当接部15の当接面19と壁面等の被設置部22とが面状に当接し、収納状態の電気掃除機１を安定させることができる。
【００２３】
また、当接部15が、掃除機本体２の両側に突設されているため、掃除機本体２のケース体の外郭の一部をなす傾斜面状に当接部15を設ける場合と比較して、掃除機本体２の内部に収納される部品の収納スペースを狭くすることがない。
【００２４】
さらに、両側に突出する当接部15の当接面19に隣接する面部20に接続手段21aや表示手段21b等の機能部を設けることで、機能部の位置が使用者に分かりやすいとともに、当接部15が突出することで生じる配置スペースを有効に利用できる。
【００２５】
一側の当接部15の当接面19と他側の当接部15の当接面19とが、鋭角から鈍角に亘る所定の角度範囲の所定角度をなして交差しているため、両側の当接部15の当接面19を、交差する被設置部22に対して効果的に当接させることができ、電気掃除機１を被設置部22に凭せ掛けることなく自立させることができて、より安定的に固定できる。
【００２６】
(第２の実施形態)
次に、第２の実施形態について図５を参照して説明する。なお、上記第１の実施形態と同様の構成及び作用については、同一符号を付してその説明を省略する。
【００２７】
図５(a)及び図５(b)に示すように、当接部15は、電気掃除機１において、延長管６の軸線Ａを挟む両側に進退自在に設けられていてもよい。当接部15は、出没自在としてもよいし、折り畳み等により両側に進退させるようにしてもよい。
【００２８】
当接部15は、付勢手段により進出方向に付勢されているとともに、最大に退避した状態では、退避状態で保持されるようにしてもよい。付勢手段としては、例えばトーションばねやコイルばね等を用いてよい。
【００２９】
本実施形態においては、当接部15の一部又は全部が進退可能となっている。当接部15の退避状態では、面部20が電気掃除機１の前部に露出しないようになっている。本実施形態において、当接部15は、図５(b)の破線に示すように、退避状態で面部20が掃除機本体２の内部に収納されるようになっている。
【００３０】
当接部15を電気掃除機１の両側に進退自在とすることで、掃除の際等、当接部15を使用しないときには当接部15を退避させておくことにより当接部15が電気掃除機１の使用の邪魔にならないようにできるとともに、必要時には当接部15を進出させて電気掃除機１を安定的に収納することができる。
【００３１】
(第３の実施形態)
次に、第３の実施形態について図６及び図７を参照して説明する。なお、上記各実施形態と同様の構成及び作用については、同一符号を付してその説明を省略する。
【００３２】
図７に示すように、当接部15の当接面は、平面状に限られず、先端が仮想平面Ｐ上に位置するように形成されていてもよい。この場合、当接部15の当接面は、図６(a)に示すように、線状に形成されていてもよいし、図６(b)に示すように、点状に形成されていてもよい。当接部15は、好ましくは左右に複数形成されている。
【００３３】
図７に示すように、当接部15の先端が仮想平面Ｐ上に位置するように形成することで、当接部15の当接面を面状に形成しなくても、面状の被設置部22に対して当接部15を仮想平面Ｐ上の複数の位置で当接させて、収納状態の電気掃除機１を安定させることができる。
【００３４】
(第４の実施形態)
次に、第４の実施形態について図８を参照して説明する。なお、上記各実施形態と同様の構成及び作用については、同一符号を付してその説明を省略する。
【００３５】
図８に示すように、当接部15の当接面19には、滑止体25が設けられていてもよい。滑止体25は、当接面19全体を覆って面状に配置されていてもよいし、当接面19の一部に配置されていてもよい。滑止体25は、例えばゴム等、摩擦係数が大きい材質により形成されているものでもよいし、表面に凹凸が形成されているもの等でもよい。
【００３６】
このように、当接部15に滑止体25を備えることで、被設置部22に対する当接部15の摩擦力を大きく生じさせ、電気掃除機１をより安定的に収納することができる。
【００３７】
なお、上記各実施形態において、当接部15は、電気掃除機１に対し着脱自在としてもよい。この場合には、掃除の際等、当接部15を使用しないときには当接部15を取り外しておくことにより当接部15が電気掃除機１の使用の邪魔にならないようにできるとともに、電気掃除機１を軽量化できる。
【００３８】
また、当接部15は、電気掃除機１の重心に対し左右対称又は略左右対称の任意の角度に設定できれば、９０°以外の角度をなす支持面にも対応できる。
【００３９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４０】
１    電気掃除機
２    本体である掃除機本体
６    延長管
７    吸込口体
15    当接部
19    当接面
25    滑止体
Ａ    軸線
Ｐ    仮想平面
【図１】
2020092828.tif 000003
【図２】
2020092828.tif 000004
【図３】
2020092828.tif 000005
【図４】
2020092828.tif 000006
【図５】
2020092828.tif 000007
【図６】
2020092828.tif 000008
【図７】
2020092828.tif 000009
【図８】
2020092828.tif 000010